(57)【特許請求の範囲】
【請求項１】
人体の首に着脱可能に装着して前記首を囲いうる筒状体を備えたネックピローであって、
前記筒状体は、前記装着者の首を安定して支持する硬さを有し、かつ、前記装着者の正面側に開閉可能な線ファスナーを備え、
前記線ファスナーは、前記装着者の下顎の高さに合わせて、前記筒状体の上端から下方に向かってミリ単位で開き具合を調整しうることを特徴とするネックピロー。
【請求項２】
前記筒状体は、前記装着者の正面側が背面側よりも下方に長く伸びた形状を有する請求項１に記載のネックピロー。
【請求項３】
人体の首に着脱可能に装着して前記首を囲いうる筒状体を備えたネックピローであって、
前記筒状体は、前記装着者の首を安定して支持する硬さを有し、かつ、前記装着者の正面側に開閉可能なファスナーを備え、かつ、前記装着者の正面側が背面側よりも下方に長く伸びた形状を有し、
前記ファスナーは、前記装着者の下顎の高さに合わせて、前記筒状体の上端からミリ単位で開き具合を調整しうることを特徴とするネックピロー。
【請求項４】
前記ファスナーは、線ファスナーまたは面ファスナーである請求項３に記載のネックピロー。
【請求項５】
前記ファスナーは、１０〜２５ｃｍの長さを有する請求項１〜４のいずれか１つに記載のネックピロー。
【請求項６】
前記ファスナーは、上端および下端の少なくとも一端から開閉可能である請求項１〜５のいずれか１つに記載のネックピロー。
【請求項７】
前記筒状体は、前記装着者の正面側が背面側よりも１〜１５ｃｍ下方に長く伸びた形状を有する請求項１〜６のいずれか１つに記載のネックピロー。
【請求項８】
前記筒状体は、前記装着者の正面側において、上端が前記装着者の下顎付近に位置し、かつ、下端が前記装着者の胸骨上部に位置する長さを少なくとも有する請求項１〜７のいずれか１つに記載のネックピロー。
【請求項９】
前記筒状体は、前記首を囲う内面が、下方に行くほど正面側に広がった形状を有する請求項１〜８のいずれか１つに記載のネックピロー。
【請求項１０】
前記筒状体は、前記首を囲う内面の前後方向の長さについて、上端よりも下端が正面側に０．１〜１０ｃｍ長く伸びた形状を有する請求項９に記載のネックピロー。
【請求項１１】
前記筒状体は、少なくとも上側部分において、充填材が封入された４〜１６個の袋体から構成される請求項１〜１０のいずれか１つに記載のネックピロー。
【発明の詳細な説明】
【技術分野】
【０００１】
本発明はネックピローに関する。さらに詳しくは、本発明によれば、自動車、列車、航空機等での移動時や、休憩時に首に装着することで装着者の頭部を支持し、首の倒れを防止し得るネックピローに関する。
【背景技術】
【０００２】
自動車、列車、航空機等での移動時や、休憩時の首の倒れを防止することを目的として、Ｕ字型の外形を有する首装着用クッション体が、ネックピローの名称で市販されている（例えば、特許文献１参照）。しかしながら、このようなネックピローでは、首の保持が不十分であるため、首痛の発生を十分抑制できていなかった。
【０００３】
そこで、出願人は、より首の周囲外形に沿う形状のネックピローを提案している（例えば、特許文献２参照）。このようなネックピローは、Ｕ字型の外形を有し、首に沿う部分の形状が五角形であり、かつ従来のネックピローより大きな高さを備えているため、首の倒れの防止効果が高い。
【先行技術文献】
【特許文献】
【０００４】
【特許文献１】登録実用新案第３０５３７２０号公報
【特許文献２】意匠登録第１５０６３０４号公報
【発明の概要】
【発明が解決しようとする課題】
【０００５】
上記ネックピローは、自動車、列車、航空機等での移動時や、休憩時の首の倒れによる首痛の発生を予防できる。
一方、装着者の首の太さや長さ、下顎の形状等にはバラツキがあるが、装着者の首や下顎の形状にフィットすることで、首の倒れを防止する効果がさらに向上したネックピローの提供が望まれていた。
【課題を解決するための手段】
【０００６】
かくして本発明によれば、人体の首に着脱可能に装着して前記首を囲いうる筒状体を備えたネックピローであって、前記筒状体は、前記装着者の首を安定して支持する硬さを有し、かつ、前記装着者の正面側に開閉可能なファスナーを備え、前記ファスナーは、前記装着者の下顎の高さに合わせて、前記筒状体の上端からミリ単位で開き具合を調整しうることを特徴とするネックピローが提供される。
【発明の効果】
【０００７】
本発明のネックピローによれば、装着者の首の長さや太さ、下顎の形状等が異なっていても、装着者の好みに合った首の保持具合に調整することが可能となる。
【０００８】
一般的なネックピローは、Ｕ字型の外径を有しているため、下顎側で開放しており、装着者の好みの頭部の保持具合に調製することができなかった。また、下顎側で解放されているので、頭部の前側の保持が不足しており、首が前に倒れた際に首痛の発生を抑制することは困難であった。
【０００９】
一方、本発明は、上記筒状体およびファスナーという一般的なネックピローに存在していない構成を備えるため、首痛の発生をより効率的に抑制できる。
【図面の簡単な説明】
【００１０】
【図１】第１実施形態のネックピローの正面図（顔の正面側に対応する図）である。
【図２】第１実施形態のネックピローの右側面図（顔の左側面側に対応する図）である。
【図３】第１実施形態のネックピローの背面図（後頭部側に対応する図）である。
【図４】第１実施形態のネックピローの平面図（頭頂部側に対応する図）である。
【図５】第１実施形態のネックピローの底面図である。
【図６】第１実施形態のネックピローの展開図である。
【図７】第１実施形態のネックピローの使用状況の一例を示す参考図である。
【図８】第１実施形態のネックピローの使用状況の一例を示す参考図である。
【図９】第１実施形態のネックピローの使用状況の一例を示す参考図である。
【図１０】第１実施形態のネックピローの使用状況の一例を示す参考図である。
【図１１】第１実施形態のネックピローの使用方法を示す図である。
【図１２】第２実施形態のネックピローの斜視図を示す参考図である。
【図１３】第２実施形態のネックピローの使用状況の一例を示す参考図である。
【発明を実施するための形態】
【００１１】
（１）本発明のネックピロー１は、人体の首に着脱可能に装着して首を囲いうる筒状体を備える。
本発明において、「首」とは、少なくとも第３頸椎（または下顎下端）を上端とし、第７頸椎を下端とする領域を意味する。
「筒状体」は、装着者の首を安定して支持する硬さを有している。
首を支持する硬さとは、首痛の発生の原因となる、頭部の重量に起因する首の前後左右への倒れを防ぐために、頭部の重みを保持し得る程度の硬さを意味する。
本発明のネックピロー１は、筒状体に充填材を封入することで、首を支持するのに十分な硬さを実現することができる。また、本発明のネックピロー１は、その上端から約１／３を外側に向けて折り返すことで、首の支持力をさらに高めることができる。
【００１２】
なお、本発明のネックピロー１を構成するための部材は特に限定されない。例えば、ネックピロー１は、少なくとも筒状体と、筒状体に充填された充填材とから構成し得る。
【００１３】
ネックピロー１が、装着者の正面側において、開閉可能なファスナーを備えることにより、首の長短、首の太細、下顎の形状等が異なっていても、装着者の好みに合った首の保持具合に調整することが可能となる。このように調整可能であることは、１つのネックピロー１で、首の形状が異なる装着者（例えば、子供から大人）に対応可能であることを意味する。
【００１４】
筒状体の部材は、特に限定されず、ネックピロー１用の部材に使用される公知の布から構成しうる。布は、筒状体に伸縮性を与えるものであることが好ましい。伸縮性を有する筒状体により、充填材が圧縮部位から他の部位に移動し、移動した充填材の容積を他の部位に位置する袋体が伸びて変形することで許容できるので、充填材の移動の許容範囲をより大きくすることができ、その結果、より首の外形に沿ったネックピロー１を提供できる。
【００１５】
筒状体は、例えば、３０〜３００％の伸縮性を有することが好ましい。この伸縮性を有する素材としては、例えばスパンデックス（ポリウレタン弾性糸）のような弾性を有する素材が挙げられる。
【００１６】
筒状体の形状は、略円筒状の形状を有していることが好ましいが、充填材が首を安定して支持するのに十分な量充填できれば、特に限定されない。
【００１７】
充填材は、特に限定されず、ネックピロー１用の公知の充填材を使用しうる。充填材としては、例えば、発泡ビーズ、発泡ウレタン、綿、樹脂パイプ、砂、空気等が挙げられる。これらのうち、発泡ビーズが好ましい。発泡ビーズの中でも、表面に流動促進剤が付着し、０．１〜１００μｍの平均粒子径のポリスチレン製発泡ビーズが好ましい。このポリスチレン製発泡ビーズは、流動性が高いため、ネックピロー１を装着した際に、首の外形に沿って移動しうるので、首の外形にさらに沿ったネックピロー１を提供できる。
【００１８】
また、発泡ビーズは、断熱性が高いため、ネックピロー１を装着したまま眠った場合であっても、睡眠による体温の低下を抑制し、より良質な睡眠が可能となる利点がある。
充填材は、袋体にその内容積以上の体積で充填されることで、首を支え得る硬さをネックピロー１に付与できる。充填材は、袋体の内容積の１．１〜３．５倍の体積で充填されていることが好ましい。
【００１９】
（２）ファスナーの種類は、開閉可能であり、かつ装着者の下顎の高さに合わせて、筒状体の上端からミリ単位で開き具合を調整可能であれば、特に限定されない。ファスナーとしては、点ファスナー、線ファスナー、面ファスナーが挙げられる。この内、開き具合をミリ単位でより容易に調整可能な線ファスナーおよび面ファスナーが好ましく、線ファスナーがより好ましい。線ファスナーは、ロック機構を有していてもよい。ロック機構を有することで、開き具合をミリ単位でさらに容易に調整可能となる。
「ミリ単位で開き具合を調整」とは、例えば、０．１ｍｍ毎に調整しうることや、１０ｍｍ毎に調整しうることを意味する。開き具合は、０．１〜１０ｍｍの間のいずれの数値毎に調整することが可能である。
【００２０】
（３）ファスナーは、１０〜２５ｃｍの長さを有するものであってもよい。
ファスナーは、この範囲内の長さを有することで、装着者の下顎の高さに開き具合を適切に調整し得ることが容易となる。
【００２１】
（４）ファスナーは、上端および下端の少なくとも一端から開閉可能であるものであってもよい。
上端および下端の少なくとも一端から開閉可能とすることで、首の長短、首の太細、下顎の形状等が異なっていても、装着者の好みに合った首の保持具合に調整することが可能となる。
【００２２】
（５）筒状体は、装着者の正面側が背面側よりも下方に長く伸びた形状を有するものであってもよい。
筒状体が、装着者の正面側が背面側よりも下方に長く伸びた形状を有することによって、首の前後への倒れをさらに抑制することができる。なお、正面側とは、装着者の下顎側を意味し、背面側とは、装着者の後頭部側を意味する。
【００２３】
（６）筒状体は、装着者の正面側が背面側よりも１〜１５ｃｍ下方に長く伸びた形状を有するものであってもよい。
筒状体は、正面側が背面側よりも１〜１５ｃｍ下方に長く伸びた形状を有することが好ましく、７〜１５ｃｍ下方に長く伸びた形状を有することがさらに好ましい。
【００２４】
また、本発明のネックピロー１は、首の全周を囲いうる筒状体を有しているため、首の前後左右への倒れを防ぐことができる。
【００２５】
（７）筒状体は、装着者の正面側において、上端が装着者の下顎付近に位置し、かつ、下端が装着者の胸骨上部に位置する長さを少なくとも有するものであってもよい。
このようにすることで、首痛の発生の原因となる、頭部の重量に起因する首の前後左右への倒れを防ぐために首の可動域を制限し得る程度の長さを実現できるため、首を胸骨部分から安定して支持することができ、首の前後への倒れをさらに抑制することができる。
【００２６】
また、ここでいう筒状体の長さは、上端から下端にかけての長さである。
装着者の正面側における筒状体の長さは、装着者の首を安定して支持する長さであれば特に制限されないが、１０〜２５ｃｍであることが好ましく、３〜４０ｃｍであることがさらに好ましい。
【００２７】
（８）筒状体は、首を囲う内面が、下方に行くほど正面側に広がった形状を有するものであってもよい。
このようにすることで、ファスナーを筒状体の上端および／または下端から開閉することにより、装着者の好みにあった首の保持具合に調整することが可能となる。
【００２８】
（９）筒状体は、首を囲う内面の前後方向の長さについて、上端よりも下端が正面側に０．１〜１０ｃｍ長く伸びた形状を有するものであってもよい。
このようにすることで、ファスナーを筒状体の上端および下端から開閉することにより、子供から大人まで首の太さが異なる装着者の好みにあった首の保持具合に調整することが可能となる。
【００２９】
（１０）筒状体は、少なくとも上側部分において、充填材が封入された４〜１６個の袋体から構成されるものであってもよい。
このように、複数の袋体から構成されることで、充填材を仕切ることができ、圧力を受けた場合であっても、充填材の過度な移動を制限することができる。
その結果、首の外形にさらに沿うように筒状体を形成することができる。
【００３０】
なお、筒状体を構成する袋体は均一である必要性はなく、複数の形状を有する袋体の組み合わせから構成されていてもよい。
筒状体を構成する袋体としては、４〜１６個の袋体で構成されていることが好ましく、６〜１２個の袋体で構成されていることがさらに好ましい。
【００３１】
以下、実施の形態を参照しつつ本発明をより詳細に説明するが、本発明は、これら実施の形態に限定されるものではない。
【００３２】
（第１実施形態）
図１〜図６に第１実施形態のネックピロー１の一例を示す。図１は正面図（顔の正面側に対応する図）、図２は右側面図（顔の左側面側に対応する図；左側面図は、右側面図と左右対称であるため省略した）図３は背面図（後頭部側に対応する図）、図４は平面図（頭頂部側に対応する図）、図５は底面図、図６は展開図を意味する。
図７は、ネックピロー１の使用状況の一例を示す参考図である。
【００３３】
第１実施形態のネックピロー１は、伸縮性を有する袋体と、袋体に充填された充填材（例えば、発泡ビーズ）とから構成されている。第１実施形態のネックピロー１が有する頭部を支え得る硬さは、袋体にその内容積以上の体積で充填材を充填することで実現できる（例えば、袋体の内容積の約２．５倍の体積で充填材を充填する）。
また、ネックピロー１は、首の全周を囲いうる筒状体を有している。筒状体を有していることで、首の前後左右への倒れを防ぐことができる。
【００３４】
さらに、ネックピロー１は、筒状体の上部から、下顎の高さに開き具合を調整し得る開閉可能な線ファスナー５を備えている。この線ファスナー５により、装着者の首の長短、首の太細、下顎の形状等が異なっていても、装着者が、その好みに合った頭部の保持具合に調整することが可能となる。第１実施形態のネックピロー１の線ファスナー５は、正面部２（下顎側）の上部および下部から開閉可能な両開きファスナーであるが、少なくとも上部から開閉可能であれば、下部から開閉可能でなくてもよい。線ファスナー５が、下部から開閉可能であれば、より装着者が望む頭部の保持具合に調整することが可能となる。
【００３５】
図１〜図６および図７では、正面部２は、下顎前端側に位置し、下顎下端付近７から例えば胸骨上端付近８に至る長さを少なくとも有している。この長さを有していることで、下顎下端付近７と首と胸骨上端付近８とから形成される空間をネックピロー１で埋めることができる。そのため、下顎の支持性を高めることができ、その結果、首の前側への倒れを抑制できる。正面部２の長さは、例えば、２０〜３０ｃｍとすることができる（図では、約１５ｃｍ）。さらに、正面部２は、背面部４より長いことが好ましい。人体の構造上、首は前に倒れやすいが、ネックピロー１の正面部２が背面部４より長いことで、ネックピロー１を首に装着した際に、ネックピロー１に圧がかかっても正面部２の充填材量が多くなるため、首をしっかりと支えることができ、前への首の倒れを抑制できる。正面部２は、背面部４より１〜１５ｃｍ長いことがより好ましい（図では、約２３ｃｍ）。
【００３６】
また、側面部３（すなわち、右側面部３ａおよび左側面部３ｂ）は、耳付近９から下側に位置し、例えば下顎下端付近７から肩甲骨上端付近に達する長さを有している。この長さを有していることで、下顎下端付近７と首と肩甲骨上端付近とから形成される空間をネックピロー１で埋めることができる。その結果、頭部の支持性が高まるため、首の左右への倒れを抑制できる。側面部３は、背面部４から前面部２に向かって長くなる斜め形状を有していてもよい。
【００３７】
さらに、背面部４は、後頭骨下端付近から下側に位置し、少なくとも後頭骨下端付近から肩甲骨上端付近に達する長さを有している。この長さを有していることで、後頭骨下端と首と肩甲骨上端付近から形成される空間をネックピロー１で埋めることができる。そのため、頭部の後ろ側への支持性を高めることができ、その結果、首の後ろへの倒れを抑制できる。
【００３８】
次に、正面部２、側面部３および背面部４は、装着者の首の長さ方向において、それらの境界およびそれらの中央部に、上部から少なくとも１／３の長さで充填材が相互に流動しない縫い目６ａおよび６ｂを備えていてもよい。縫い目６ａおよび６ｂを備えていることで、装着によりネックピロー１に部分的に圧がかかっても、充填材の移動が妨げられるので、首の倒れを抑制できる。また、ネックピロー１をより首の外形に沿わせることが可能となる。このネックピロー１の首の長さ方向の上側は、縫い目６ａおよび６ｂにより８個の袋体で構成されることになる。袋体の数は、８個に限らず、例えば、４〜１６個とすることが可能である。
正面部２と右側面部３ａ間の境界、正面部２と左側面部３ｂ間の境界、右側面部３ａと背面部４間の境界、左側面部３ｂと背面部４間の境界の縫い目６ａは、ネックピロー１の下部まで形成されていても、途中まで形成されていてもよい。下部まで形成されていることで、充填材の移動による、首の倒れを抑制できる。
【００３９】
また、正面部２、右側面部３ａ、左側面部３ｂおよび背面部４の中央部の縫い目６ｂは、下部まで形成されていても、途中まで形成されていてもよい。下部まで形成されている場合は、ネックピロー１をより首の外形に沿わせることが可能となる。途中まで形成されている場合は、ネックピロー１下部の充填材量が上部より多くなるため、首の支持性をより高めることができる。
図８に、ネックピロー１の使用状況の他の一例を示す参考図を示す。この図では、線ファスナー５を下から約１／３引き上げることで、正面部２の下から約１／３を左右に分離している。このように使用することで、装着者の首の長さに適宜調整可能である。
【００４０】
図９に、ネックピロー１の使用状況の他の一例を示す参考図を示す。この図では、線ファスナー５を上から約１／３下げることで、正面部２の上から約１／３を左右に分離し、さらに、上から約１／３の部分をネックピロー１全周にわたって外側に折り返している。ネックピロー１を折り返すことで、ネックピロー１の長さを装着者の首の長さに適宜調整可能となると共に、首の前後左右への倒れをより防ぐことができる。
【００４１】
図１０（ａ）および（ｂ）は、装着者の首の保持高さおよび首周囲長さにネックピロー１を線ファスナー５により調整する方法の説明図である。図１０（ａ）は首の長さが長いおよび／または首の周囲長さが小さい装着者についてのネックピロー１の調整方法である。図１０（ｂ）は、首の長さが短いおよび／または首の周囲長さが大きい装着者についてのネックピロー１の調整方法である。このように、本発明のネックピロー１は、装着者の首の形態に合わせて複数の商品を用意することなく、１つのネックピロー１をそれぞれの装着者の首の形態に合わせて適宜調整可能である。
図１１（ａ）〜（ｃ）に、ネックピロー１の使用方法を示す。線ファスナー５を上から下げることでネックピロー１を展開する。次いで、ネックピロー１の中心部を首の後ろに当て、首に沿うようにネックピロー１を首に巻く（図１１（ａ））。そして、線ファスナー５を下から上に引き上げることで、ネックピロー１を装着できる（図１１（ｂ）および（ｃ））。
【００４２】
ネックピロー１は、例えば、背面部４の上端に装着されたフードを備えていてもよい。例えば、夜行バス等でネックピロー１を装着し、かつフードを被ることで、首の倒れを抑制しつつ、周りの視線をカットできるので、より快適に過ごすことができる。
【００４３】
さらに、ネックピロー１は、例えば、正面部２の上端から鼻付近まで覆う布部を有していてもよい。この布部はマスクの役割を果たすので、ネックピロー１を装着すれば、のどの乾燥を抑制できる。布部を設けることは、ネックピロー１を装着したまま睡眠することを想定した場合に有効である。
【００４４】
（第２実施形態）
図１２および図１３にネックピロー１の他の一例を示す。
図１２は、第２実施形態のネックピロー１の斜視図を示す参考図である。
図１３は、第２実施形態のネックピロー１の使用状況の一例を示す参考図である。
【００４５】
第２実施形態のネックピロー１は、正面部２、側面部３および背面部４の首の長さ方向における高さが、ほぼ同じとなる筒状の形状を有している。第２実施形態のネックピロー１でも、首を十分支持することが可能となる。
このネックピロー１は、正面部２（下顎側）の上部のみから開放可能な線ファスナー５を備えている。この線ファスナー５により、首の長短、首の太細、下顎の形状等が異なっていても、装着者が、その好みに合った首の保持具合に調整することが可能となる。
【００４６】
また、このネックピロー１は、正面部２、側面部３および背面部４は、首の長さ方向において、それらの境界およびそれらの中央部に、上部から少なくとも１／３の長さで充填材が相互に流動しない縫い目６ａおよび６ｂを備えている。縫い目６ａおよび６ｂを備えていることで、装着によりネックピロー１に部分的に圧がかかっても、充填材の移動が妨げられるので、首の倒れを抑制できる。また、ネックピロー１をより首の外形に沿わせることが可能となる。正面部２と右側面部３ａ間の境界、正面部２と左側面部３ｂ間の境界、右側面部３ａと背面部４間の境界、左側面部３ｂと背面部４間の境界の縫い目６ａは、ネックピロー１の下部まで形成されていても、途中まで形成されていてもよい。下部まで形成されていることで、充填材の移動による、首の倒れを抑制できる。
また、正面部２、右側面部３ａ、左側面部３ｂおよび背面部４の各中央部の縫い目６ｂは、下部まで形成されていても、途中まで形成されていてもよい。下部まで形成されている場合は、ネックピロー１をより首の外形に沿わせることが可能となる。途中まで形成されている場合は、ネックピロー１下部の充填材量が上部より多くなるため、首の支持性をより高めることができる。
【００４７】
この発明の好ましい態様には、上述した複数の態様のうちの何れかを組み合わせたものも含まれる。
前述した実施の形態の他にも、この発明について種々の変形例があり得る。それらの変形例は、この発明の範囲に属さないと解されるべきものではない。この発明には、請求の範囲と均等の意味および前記範囲内でのすべての変形とが含まれるべきである。
【符号の説明】
【００４８】
１：ネックピロー
２：正面部
３：側面部
３ａ：右側面部
３ｂ：左側面部
４：背面部
５：線ファスナー
６ａ：正面部、側面部および背面部間の各境界の縫い目
６ｂ：正面部、側面部および背面部の各中央部の縫い目
７：下顎下端付近
８：胸骨上端付近
９：耳付近
【要約】
【課題】装着者の首や下顎の形状にフィットすることで、首の倒れを防止する効果がさらに向上したネックピローを提供する。
【解決手段】人体の首に着脱可能に装着して前記首を囲いうる筒状体を備えたネックピローであって、前記筒状体は、前記装着者の首を安定して支持する硬さを有し、かつ、前記装着者の正面側に開閉可能なファスナーを備え、前記ファスナーは、前記装着者の下顎の高さに合わせて、前記筒状体の上端からミリ単位で開き具合を調整しうることを特徴とするネックピロー。
【選択図】図１１【図１】
0006678978.tif 000002
【図２】
0006678978.tif 000003
【図３】
0006678978.tif 000004
【図４】
0006678978.tif 000005
【図５】
0006678978.tif 000006
【図６】
0006678978.tif 000007
【図７】
0006678978.tif 000008
【図８】
0006678978.tif 000009
【図９】
0006678978.tif 000010
【図１０】
0006678978.tif 000011
【図１１】
0006678978.tif 000012
【図１２】
0006678978.tif 000013
【図１３】
0006678978.tif 000014